(57)【要約】【課題】ストロボ回路基板に実装された回路部品の不正な取りはずしを防止する。【解決手段】ストロボ回路基板３０には発振トランス４３のリード端子を貫通させる貫通穴５９が形成されるとともに表側には配線パターンが形成されている。発振トランス４３を裏側に配置し、貫通穴５９を貫通したリード線は配線パターンにハンダ付けされている。発振トランス４３はポリスチレン樹脂２９で被覆される。表側のハンダ付け部分もポリスチレン樹脂２９で被覆されその表面には、スライド移動することで充電スイッチを切り換えるスライド板３８とクリック係合するクリック突起６５が形成されている。【選択図】        図５
2004184638.tif 000002
【特許請求の範囲】
【請求項１】
ストロボ回路基板の表側に配線パターンを形成し、前記ストロボ回路の裏側に回路部品を配置し、前記回路部品のリード端子を前記配線パターンにハンダ付けしたストロボ装置において、
前記ストロボ回路基板の表側を覆う被覆部材を備え、前記ストロボ回路の充電動作を切り替える切り替え部材がスライド移動する平面と、前記切り替え部材の移動を規制する突起とを前記被覆部材に形成したことを特徴とするストロボ装置。
【請求項２】
前記ストロボ回路基板の裏側を前記被覆部材で被覆することを特徴とする請求項１記載のストロボ装置。
【請求項３】
前記被覆部材は、アウトサート成形により成形されたことを特徴とする請求項１または２記載のストロボ装置。
【発明の詳細な説明】
【０００１】
【発明の属する技術分野】
本発明は、ストロボ回路基板が被覆部材によって被覆されたストロボ装置に関するものである。
【０００２】
【従来の技術】
簡易型のカメラとして未露光の写真フイルムが予め装填されたレンズ付きフイルムユニットがよく知られている。このレンズ付きフイルムユニットには用途に応じて様々な機種があるが、その中でも夜間や室内など暗い場所での撮影が行えるようにストロボ装置を組み込んだものが普及している。
【０００３】
レンズ付きフイルムユニットは、その使用後には撮影済みの写真フイルムが入った状態で現像所に送られ、現像所ではレンズ付きフイルムユニットから写真フイルムを取り出して現像、プリント処理を行う。そして、ユーザには現像済みの写真フイルムとプリント写真とが戻され、写真フイルムの取り出されたレンズ付きフイルムユニットはメーカが回収してリサイクル、リユースしている。このためレンズ付きフイルムユニットは機能別にユニット化されており、分解したときにそれぞれの機能ユニットごとに検査やリペアしやすいような構造となっている。
【０００４】
一方、メーカ以外の業者が使用済みのレンズ付きフイルムユニットを回収し、未露光の写真フイルムを再装填し不正に販売している。ストロボ装置には比較的高価な回路部品が使用されているため流用されることが多く、さらに回路部品単体をストロボ回路基板から分離して流用することも行われている。このような事情によるレンズ付きフイルムユニットのリサイクル率の低下を防止するために、メーカはレンズ付きフイルムユニットに各種工夫を施している。例えば特開２００１−１３６３８号公報記載の発明では、後カバーを分離するとレンズ付きフイルムユニットに内蔵されたストロボ装置への給電が停止される。給電を再開するためには予めきめられたパルス信号と電圧信号とをＩＣに入力しなければならず、これによりストロボ装置の不正な再利用を防止している。
【０００５】
【発明が解決しようとする課題】
しかしながら、上記のような手法ではストロボ装置の不正な再利用の防止が十分ではなく、ストロボの充電スイッチをオン／オフ操作するスライド板の組み付けにさらにスペースを必要とし、結果としてストロボユニットが大型化してしまうという問題があった。
【０００６】
本発明は上記問題を解決するためになされたもので、ストロボ装置の改造や回路部品の取りはずしを困難にすることを目的とする。なお、本発明は、レンズ付きフイルムユニットのみならず、メーカが回収してリユース、リサイクルすることを前提としたデジタルカメラ用のストロボ装置にも適用可能である。
【０００７】
【課題を解決するための手段】
上記目的を達成するために、請求項１記載の発明では、ストロボ回路基板の表側に配線パターンを形成し、前記ストロボ回路の裏側に回路部品を配置し、前記回路部品のリード端子を前記配線パターンにハンダ付けしたストロボ装置において、前記ストロボ回路基板の表側を覆う被覆部材を備え、前記ストロボ回路の充電動作を切り替える切り替え部材がスライド移動する平面と、前記切り替え部材の移動を規制する突起とを前記被覆部材に形成したことを特徴とするものである。
【０００８】
請求項２記載の発明では、ストロボ回路基板の裏側を被覆部材で被覆したことを特徴とするものである。
【０００９】
請求項３記載の発明では、被覆部材は、アウトサート成形により成形されたことを特徴とするものである。
【００１０】
【発明の実施の形態】
本発明を実施したストロボ装置を内蔵したレンズ付きフイルムユニットの分解斜視図を図１に示す。ユニット本体２は、前カバー４と後カバー５とが写真フイルムカートリッジ７と例えば２４枚撮りの写真フイルム８とを収納する本体基部１０を覆うように構成されている。
【００１１】
本体基部１０の左右には、フイルムカートリッジ室１３およびフイルムロール室１４とが形成されており、そこに写真フイルムカートリッジ７と写真フイルム８とが装填される。フイルムカートリッジ室１３の上部には巻き上げノブ１６が配置され、この巻上げノブ１６の下には写真フイルムカートリッジ７のスプールと係合する軸部材が形成されている。この巻上げノブ１６を図中において反時計方向に回動させることにより、撮影済みの写真フイルム８が写真フイルムカートリッジ７の内部に巻き上げられる。フイルムカートリッジ室１３とフイルムロール室１４との間には撮影レンズ１８から写真フイルム８までの間を遮光する暗箱１９が設けられている。本体基部１０の上部には、シャッタボタン２２、カウンタ窓２３が設けられている。カウンタ窓２３からは、本体基部１０に組み込まれた撮影枚数表示板を覗くことができる。周知のように、撮影枚数表示板は本体基部１０に回転自在に組み込まれており、撮影後のフイルム１コマ巻き上げに連動して１歩進し、その都度カウンタ窓２３を通して撮影枚数を確認することができるようになっている。
【００１２】
ストロボ装置２５は、本体基部１０と前カバー４との間に組み込まれている。
図２に示すように、ストロボ装置２５は、ポリスチレン樹脂２９によって表側と裏側との両面が被覆されたストロボ回路基板３０と、ストロボ回路基板３０の上部に組み付けられたストロボ発光部３２とから構成され、電池３４が装着されている。ストロボ回路基板３０からは、シャッタボタン２２の押圧操作に応答して動作するシャッタ羽根によって接触するシンクロスイッチ３６と、ストロボ回路基板３０に流す電流をオン／オフ切り替えする充電スイッチ３７とが露呈している。ストロボ装置２５の表側には、充電スイッチ３７のオン／オフ動作を操作するスライド板３８が基板方向にスライド移動可能なように組み付けられ、スライド板３８が上方へスライド移動すると充電スイッチ３７がオンとなり、下方へ移動するとオフとなる。スライド板３８には操作ノブ３９が形成されている。また、ポリスチレン樹脂２９の表面には、スライド板３８のスライド移動をガイドする突起４０と、スライド板３８をクリック係止させるクリック突起４１とが成形されている。
【００１３】
ストロボ回路基板３０の表側と裏側とに設けられたポリスチレン樹脂２９は、アウトサート成形により成形されたものである。ストロボ回路基板３０に回路部品が実装された後、突起４０やクリック突起４１などを形成するように成形された金型がストロボ回路基板３０に当てられる。そして、金型の溶融ポリスチレン樹脂を射出する射出口から溶融されたポリスチレン樹脂が射出され、金型内に充填される。その後、冷却固化されて、スライド板３８がスライド移動可能に成形されたポリスチレン樹脂２９が完成する。
【００１４】
図３に示すように、メインコンデンサ４２、発振トランス４３、発振トランジスタ４４、トリガコンデンサ４６等のほとんどの回路部品がストロボ回路基板３０の裏側に実装されている。回路部品のリード端子は、ストロボ回路基板３０に形成されたリード端子を貫通させる貫通穴を通り、ストロボ回路基板３０の表側に突出する。表側に突出したリード端子の先端はストロボ回路基板３０の表面に形成された配線パターンにハンダ付けされている。ストロボ装置２５は、回路部品がストロボ回路基板３０に実装された後、アウトサート成形によってポリスチレン樹脂２９が表面を覆うように設けられる。成形は、ストロボ回路基板３０を正確に位置決めした後、回路部品を包み込む金型をストロボ回路基板３０に当て、金型に設けられた射出口から溶融されたポリスチレン樹脂を流し込んで充填する。そして、ポリスチレン樹脂２９を冷却固化し、回路部品がストロボ回路基板３０に固定される。金型は回路部品と一定の間隔が設けられるように成形されており、このため各回路部品を被覆するポリスチレン樹脂２９はその厚みが一定となるように回路部品を被覆している。
【００１５】
ストロボ回路基板３０の表側の配線パターンにはリード端子の先端部がハンダ付けされており、その上からポリスチレン樹脂２９がハンダ付け部分を覆うように被覆されている（図２参照）。このときポリスチレン樹脂２９は、回路部品のハンダ付け部分を覆うとともに、操作ノブ３９が形成されたスライド板３８がスライド移動できるようにガイドする突起４０とスライド板３８をクリック係止させるためのクリック突起４１とが成形されている。スライド板３８は、ポリスチレン樹脂２９の表面に成形された突起４０とクリック突起４１とを嵌め込むように組み付けられ、上方にスライド移動することによって充電スイッチ３７を押下する。押下された充電スイッチ３７と配線パターンとが接触することによってストロボ回路に電流が流れ、ストロボ装置２５の充電が可能となる。
【００１６】
図４にストロボ装置の発振トランジスタ部分の断面図を示す。発振トランジスタ４４はエミッタリード５０と、コレクタリード５１と、ベースリード５２とがストロボ回路基板３０に形成された貫通穴５３を貫通している。ストロボ回路基板３０の表側において、各リード端子の先端は配線パターンにハンダ付けされている。ハンダ付けされたトランジスタ４４は上からポリスチレン樹脂２９で被覆される。また、ストロボ回路基板３０の表側にもポリスチレン樹脂２９が上から被覆されハンダ付部分を平らにし、スライド板３８を滑らせる平面を形成している。また、スライド板３８のスライド移動をガイドする突起４０も一体形成されている。この突起４０に係合するようにスライド板３８が嵌め込まれる。スライド板３８が上方にスライド移動すると充電スイッチ３７が配線パターンに接触し、ストロボ回路に電流が流れるようになる。
【００１７】
次に上記構成の作用について図５を参照しながら簡単に説明する。図５は発振トランス４３の部分を斜めから見た断面図である。ストロボ回路基板３０には回路部品のリード端子を貫通させるための貫通穴５９が設けられており、例えば発振トランス４３は、そのリード端子６０が貫通穴５９を貫通するようにストロボ回路基板３０の裏側に配置されている。ストロボ回路基板３０の表側に突出したリード端子６０は、ストロボ回路基板３０の表側に形成されている配線パターンの上にハンダ付けされる。
【００１８】
ハンダ付けされた発振トランス４３の本体はポリスチレン樹脂２９で被覆される。また、ストロボ回路基板３０の表側のハンダ付け部分６２もポリスチレン樹脂２９によって被覆される。このときポリスチレン樹脂２９の表面は、操作ノブ３９の設けられたスライド版３８を組み付けるため、ハンダ付けによる凹凸がなくなるように平らにされ、同時にスライド板３８のスライド移動を制限しクリック係止させるためのクリック突起４１も成形している。
【００１９】
スライド板３８は、スライド板３８に形成されたクリック爪６４とクリック突起４１とが係合するように組み付けられる。そして、スライド板３８がクリック突起４１の上方の窪み６７で係止すると充電スイッチ３７がオンとなり、逆に下方の窪み６８で係止すると充電スイッチ３７はオフの状態となる。
【００２０】
ポリスチレン樹脂２９以外にも高密度ポリエチレン樹脂やポリプロピレン樹脂などの他のプラスチック樹脂も被覆部材として使用可能である。
【００２１】
なお、回路部品をポリスチレン樹脂で被覆するかわりに、回路部品のリード端子を根元まで挿通させ回路部品のリード端子を切断できないようにしてハンダ付けし、ストロボ回路基板３０の表側のみをプラスチック樹脂で被覆することも可能である。プラスチック樹脂の表面にはスライド板３８を組み付けるためのクリック突起などが成形される。この形態においてもストロボ回路基板の表側と裏側との両面をプラスチック樹脂で被覆したときと同様の効果が得られる。
【００２２】
【発明の効果】
以上のように、本発明のストロボ装置によれば、ハンダ付けされた側と回路部品が配置された側との両面が被覆部材によって被覆されることにより、回路部品は不正に取り外すことが不可能となる。また、回路部品のハンダ付けされた面のみを被覆部材で被覆しても回路部品を不正に取りはずすことが不可能となる。これらによってストロボ装置の改造も防止することができる。さらに、ストロボ回路基板のハンダ付けされた面を覆う被覆部材の表面を、切り替え部材を組み付けられるように成形することにより、スライド板を滑らせるために挟み込まれていたスライドガイド用の板部材が不必要となる。このためストロボ装置の薄型化が可能となる。また、製造工程における取り扱いの簡便化や、漏電防止も可能となる。
【図面の簡単な説明】
【図１】本発明を実施したストロボ装置を内蔵したレンズ付きフイルムユニットの分解斜視図である。
【図２】ストロボ装置を表側から観察した斜視図である。
【図３】ストロボ装置の裏側の斜視図である。
【図４】ストロボ装置の発振トランジスタ部分の断面図である。
【図５】ストロボ装置の発振トランス部分の斜視断面図である。
【符号の説明】
２５  ストロボ装置
２９  ポリスチレン樹脂
３０  ストロボ回路基板
３７  充電スイッチ
４０  突起
４１  クリック突起
４３  発振トランス
６４  クリック爪
【図１】
2004184638.tif 000003
【図２】
2004184638.tif 000004
【図３】
2004184638.tif 000005
【図４】
2004184638.tif 000006
【図５】
2004184638.tif 000007